(57)【要約】【課題】現代の社会環境を考察するに、人々の日常の精神生活において、各種刺激によりストレスが高まり、その“癒し”が必要な社会環境となり、また住環境の空調に関しては、冷暖房により異常乾燥している住環境が増えており、さらにタバコの紫煙、車の排気、新建材による化学物質のガスなどの弊害も無視することが出来ない。【解決手段】ポンプにより水を空間に噴出又は流下させる手段を用いて、水が有する物理的性質を有効に利用し、それにより住環境を装飾して、心の癒し効果をもたらすと共に、その溶存酸素の多い貯水を利用して、生け花を長く楽しめる機能を付加し、さらに水中ポンプにより加温された噴水により、周囲の空気を自然加湿すると共に、水に付着させることの出来る、空気中の有害物質を除去する機能を有する装置を、美観を保持しつつ小型化して、日常生活で手軽に活用出来るようにする。【選択図】　　　図１
2004017038.tif 000002
【特許請求の範囲】
【請求項１】
水中ポンプ（３）により水を空間に噴出させる手段を用いて、住環境を装飾すると共に、周囲の空気を加湿することを特徴とする装飾機能と加湿機能を兼ね備えた卓上型噴水装置。
【請求項２】
花器を兼ねた噴水受け器（１５）を組み込み、活け花（１６）活けることが出来るように構成したことを特徴とする卓上型噴水装置。
【請求項３】
噴水容器（１）を、宙吹きガラス成形法により製作したことを特徴とする卓上型噴水装置。
【請求項４】
噴水容器（１）を、ろくろ成形法による陶磁器製法により製作したことを特徴とする卓上型噴水装置。
【請求項５】
所定大の平坦な、噴水部品の基盤（２）を、噴水容器（１）の内底面（１ｃ）に、接着剤またはビスを用いて接合したことを特徴とする請求項３又は４記載の卓上型噴水装置。
【請求項６】
中央部に分配槽（８）を組み合わせ、外周部に環状分配管（１１）を組み合わせた格子蓋（５）を、噴水容器（１）上部開口部（１ａ）の所定位置に装着したことを特徴とする卓上型噴水装置。
【請求項７】
分配槽（８）の上面中央部に所定長、所定径の外ねじ付パイプ（９）をねじ込んで立設し、その分配槽（８）の底面中央部で、外ねじ付パイプ（９）と直線的に対向する位置に、水中ポンプ（３）の吐出口（３ａ）を差し込んだことを特徴とする請求項６記載の卓上型噴水装置。
【請求項８】
環状分配管（１１）の所定位置に、環状分配管（１１）内の夾雑物の排出口（１３）を設けたことを特徴とする請求項６記載の卓上型噴水装置。
【請求項９】
水を空間に噴出させることにより、水に付着させることの出来る、空気中の有害物質を付着除去する機能を有することを特徴とする卓上噴水装置。
【請求項１０】
貯水（７）中に水質浄化作用のある物質を配設したこを特徴とする卓上型噴水装置。
【発明の詳細な説明】
【０００１】
【発明の属する技術分野】
本発明は、水を空間に噴出させる手段を用いて、それにより住環境を装飾して、心の癒し効果をもたらすと共に、噴水により周囲の空気を自然加湿し健康に寄与することを目的とした装飾機能と加湿機能を兼ね備えた卓上型の噴水装置に関するものである。（以後の文においては、該装置と略称する）
【０００２】
【従来の技術】
従来、水を空間に噴出又は流下させる手段を用いて、住環境を装飾する装置としては噴水装置が提供されている。しかし、卓上型の噴水装置に関しては、、国内で製造され市場に提供されてきた装置は少なく、本出願者の記憶では、昭和５０年頃、成形された樹脂容器製の噴水装置が製造販売されていたのを記憶する程度である。
【０００３】
また本出願者が昭和５０年代に、水の表面張力を利用してシャボンのような薄膜球形状に空間を流下する噴水装飾技術を開発し、スピニング成型のアルミ容器を用いた卓上型噴水装置を製作販売したが、成形型代の償却、流通経費などがコストを押し上げて販売価格が高くなり、アルミ容器そのものにも装飾装置としての美観が欠け、噴水の水が周囲に散りやすいなどの原因により、販売価格に比較して商品価値が認められず、在庫を抱えたまま、撤退した苦い経験がある。
【０００４】
また、容器底に小型陸上ポンプを組み込んだ陶磁器製のイタリア製噴水装置が一部輸入販売されているが、価格が高いことやノズルの目詰まりやポンプの電圧の違いなどから生ずる問題点により普及していない。
【０００５】
また装飾を目的とした卓上型噴水装置、又は、装飾と加湿を目的とした卓上型噴水装置としての出願に関し、特許情報提供サービスで公開、公告公報を検索したが、１９９５年以降においては皆無に近い。
【０００６】
住環境を加湿する卓上型の小型装置としては、ある時期、超音波を利用して、水を霧状に噴出させる装置が提供されたが、加湿過剰になりやすく、周囲家具などに白い埃状の粉が付着するなどの欠点を有していた。また貯水の管理を怠るとレジオネラ菌などが発生する危険性を有している。
【０００７】
【発明が解決しようとする課題】
日本において、卓上型噴水装置が、装飾装置として有用にも拘らず、殆ど市場に提供されなかった原因を考察するに、企業が卓上型噴水装置の製作を計画する場合、通常、型をおこしての小品種大量生産が必要であり、同じ形状の装飾装置が大量に市場で捌けるかどうか、商品価値を認められるかどうか、その市場性や採算性に見通しが立たず、研究開発されなかったのが一因と思われる。
【０００８】
今、該装置を販売する対象としての現代の社会環境を考察するに、人々の日常の精神生活において、各種刺激によりストレスが高まり、その“癒し”の手段を求める社会環境となり、また住環境の空調に関しては、冷暖房により異常乾燥している住環境が増えており、その弊害も無視することは出来ない。
【０００９】
然し、一般的に冷暖房による室内空気の異常乾燥によって生ずる弊害に対しては関心が低く、その対策も非常に少ない。為に暖冷房設備や除湿設備の普及に較べ加湿設備の普及度が低い。然し実際は異常乾燥による弊害は大きく、特に異常乾燥環境に長く居住すると、その影響も大きくなる。人体に対しては呼吸器を痛めて風邪が引きやすくなり、肌荒れとなり美容にも大敵である。またアトピー性皮膚炎や喘息の患者に対しては、とくに悪影響がある。
【００１０】
また病院やホテルにおいても、異常乾燥したカサカサした空気を感じ、不快となることが多い。特に患者の健康を取り戻すことを目的とした病院に於いては間題であり、更なる湿度管理が必要ではないかと思われる。しかし現実には室内の温度調整を設備的に行なっているのは美術館や博物館などの一部のようである。
【００１１】
本発明者は、上記のような社会環境にたいして、役に立ち、日常生活で手軽に利用出来る、装飾機能と加湿機能を兼ね備えた卓上型の噴水装置を開発し提供しようとするものである。
【００１２】
【課題を解決するための手段】
本発明は、上記の如き住環境における健康を損なう諸要因を緩和し解消するために、水が有する物理的性質を有効に利用し、水中ポンプにより貯水を空間に噴水造形させる手段を用いて住環境を装飾し、それにより心の癒し効果をもたらすと共に、更に、噴水の貯水を用いて、生け花を活け楽しめる手段を付加し、さらに噴水を利用して周囲の空気を自然加湿する手段を兼備した卓上型の噴水装置を開発し提供するにある。
【００１３】
水の利用による癒し効果は、視覚に対しては、噴出水と流下水と盛り上がり噴水による水の動きと、活け花により癒し、聴覚に対しては水の流れを調整して発生させた、小川の流れのようなせせらぎ音により癒し、臭覚に対しては、アロマテラピーなどの精神安定作用のある親水性香料を貯水中に入れ、噴水により周囲に芳香を発散させて癒す手段を用いる。
【００１４】
特に、活け花による癒し手段に関し、該装置に花器を組み込むと共に、その花器に、噴水により溶存酸素が豊富となった貯水を用いる点に特徴があり、その貯水に活けた花は長もちし、長く楽しませてくれる。また噴水と活け花を組み合わせた相乗効果により、より自然のうるおいを高め、そのみずみずしさが観者の心を癒してくれる。
【００１５】
該装置の加湿機能に関しては、噴水容器の貯水中に水中ポンプを装着し、そのモーターから生ずる運転熱を利用し、貯水の水温を上げて気化し易くすると共に、その貯水を多くの糸状噴水に造形して高く噴出することにより、空気との接触面積と接触時間を広げて蒸発の効率を高めた点に特徴があり、水が有する相対湿度による自然加湿作用と相俟って、異常乾燥した室内に、適度な湿度環境を造り出すことが出来る。
【００１６】
また、貯水を多くの糸状噴水に造形して高く噴出することにより、空気との接触面積と接触時間を広げるため、空気中の浮游塵埃やタバコの煙やこの他の有害物質を付着除去し、貯水中に取り込んで、住環境の空気を清浄化する機能も有している。
【００１７】
上記の該装置が備える諸機能が、人々の日常生活で有効に活用されるために、外周の径を約３０ｃｍ高さを約２８ｃｍの小型軽量で、身近の小さいスペースに設置でき、手軽に取り扱いのできる規模の装置を製作し提供する。
【００１８】
該装置は基本的な噴水容器製作方法に、成形型を起こしての、流し込み製法やプレス製法を用いた大量見込み生産方法を避け、手造りによる一品製作の宙吹きガラス成形法や、ろくろ成形による陶磁器製法を採用したことが一つの特徴であり、それにより市場に多品種少量生産による芸術性豊かな、且つオリジナリティに富んだ該装置を提供することが出来る。
また製作期間が短縮できることにより、受注生産が可能となり、噴水容器の形状、柄、色などに客の好みを組み込んだ該装置の製作が可能となる。
【００１９】
また、この製法の問題点として、一品ごとの手造りのため寸法精度が均一とはならず、また生産量も限られる点があげられる。
【００２０】
しかし、反面、一品製作手段は、製品のオリジナルな価値を高め、寸法精度の不均一が芸術性を高め、生産量が限られる点が稀少価値につながる長所を有している。
【００２１】
噴水容器の寸法精度の不均一の問題に対する解決手段しては、内部に組み込まれる噴水部品に対し、噴水容器を、美感を損なわない範囲内で、ゆとりのある大きさで製作することにより解決する。
【００２２】
且つ、噴水容器がほぼ水平に設置できるように、必要に応じ噴水容器の外底面を平坦に研磨し、さらに噴水容器の内底面所定位置に、噴水部品組み立て用基盤を水平に接着固定して、その基盤上に水中ポンプや噴水部品を組立て構成する手段を用いる。
【００２３】
噴水による該装置の機能を、小さい噴水容器中で有効に働かせるために、数多くの糸状噴水が王冠状に噴出する噴水姿態を用いる。
【００２４】
噴水容器の中央部に、花器を兼ねた噴水受け器を設置し、周囲よりの噴水を受けると共に、噴水受け器内にも給水して盛り上がり噴水を演出し、さらにその中に活け花を活けて、装飾による癒し効果を高める。
【００２５】
更に、小さい噴水容器のため、噴水飛沫が外部に飛散し易いという問題点を解決するために、使用状況により外部に飛散する噴水飛沫を抑止できるように、運転を継続しながら容易に噴水の高さを調整することが出来る手段を組み込む。
【００２６】
該装置を長期間運転していると、噴水により空気中の有害物質が吸着溶解する為に、水が汚れて細菌が繁殖したり、異臭が漂うようになってくる。これを極力抑止するために、噴水容器の貯水の中に、銀をブレーティングした活性炭や、麦飯石、トルマリン、機能セラミックなどの水質浄化作用のある物質を配設する。
【００２７】
該装置を構成する諸手段の詳細は、『発明の実施の形態』の項で説明する。
【００２８】
【発明の実施の形態】
発明の実施の形態について図面を参照して説明する。
【００２９】
図１は該装置の基本的な一実施図を示すものである。噴水容器１を、基本的には、手造りの宙吹きガラス成形法又はろくろによる陶磁器成形法で製作する。
【００３０】
噴水容器１の大きさは、上部開口部の直径を約３０ｃｍφ、高さを約１７ｃｍとし、内部に貯水７と各噴水部品が収納できる容器形状とし、その上部開口部１ａは、ほぼ円形または波形とする。
【００３１】
宙吹きガラス製法による噴水容器１は、外底面１ｂが平坦水平になるよう製作することが困難なため、必要に応じ、ダイヤ研磨砥石で平坦に研磨し、出来るだけ水平に設置出来る様に補正する。
【００３２】
宙吹きガラス成形法による噴水容器１や、ろくろ成形法による陶磁器の噴水容器１は、製作の都度、寸法精度のバラツキが生じるため、内部に組み込まれる精度が必要な噴水部品との寸法のズレを補正することが必要であり、内部に組み込まれる噴水部品に対し、噴水容器１をゆとりのある大きさで製作することにより解決する。
【００３３】
又、これらの噴水容器１に噴水部品を組み込む場合、別に金属または樹脂製の所定大の平坦な基盤２を作製して、噴水容器１の内底面１ｃに中心部を設定し、その中心部に合わせて、接着剤を用いて水平に接合する。
【００３４】
また基盤２を、噴水容器１の内底面１ｃに固定する別の手段として、噴水容器１の底の所定位置に、基盤２と共通の所定数の孔を設け、防水手段を施しつつ、ネジとナットを用いて水平に固定することも出来る。
【００３５】
噴水容器１に組み込む水中ポンプ３に関し、吸込口３ｂが水平方向に設けられ、吐出口３ａが垂直方向に設けられている構造の水中ポンプ３を用い、その水中ポンプ３の吐出口３ａが、基盤２の中心上方に位置するように基盤２上に設置し、バンド６で固定する。水中ポンプ３は電圧ＡＣ１００Ｖ、６０ＨＺ、消費電力１８Ｗ、最大流量１２．５ｌ／分、最大揚程２ｍ、吐出口１０ｍｍφの性能であり、吸込口３ｂにはスポンジフイルター３ｄを内蔵したストレーナー３ｃが装着されている。
【００３６】
基盤２外周部の均等位置に三本の六ミリ径の支持ボルト４をねじ込んで立設し、噴水容器１上部の開口部１ａ所定位置に、その支持ボルト４及びナット４ａを用いて、図２に示す格子蓋５を嵌め込み水平に装着する。
【００３７】
格子蓋５の格子の形状、寸法は、その機能が有効に作用できる最適の形状、寸法のものを選択し採用する。
【００３８】
格子蓋５の中央部下面に分配槽８を設け、その中心上面にＭ１０のねじ孔８ａを設けて、水量調整機能と揚水機能と支持機能を兼ね備えた所定長のＭ１０の外ねじ付パイプ９をねじ込み立設する。
【００３９】
更に、そのねじ孔８ａの垂直下、分配槽８の底面部に、ポンプ吐出口３ａが隙間無く差し込める寸法の丸孔８ｂを垂直に穿孔して、その丸孔８ｂにポンプ吐出口３ａを差し込み、前記外ねじ付パイプ９の下端と、直線上に、所定間隔を空けて対向させるように構成する。
【００４０】
格子蓋５の外周部に環状分配管１１を、成形または接着により一体的に組み合わせて、噴水容器１の外周部に近く、サークル状の噴水噴出口１２を構成する。
【００４１】
格子蓋５内部に分配槽８と環状分配管１１間を連通させる３本の分送管路１０を設けて、水中ポンプ３よりの送水が、分配槽８から分送管路１０を経て、環状分配管１１に流入し、噴出口１２より噴出し、噴水１４を造形するように構成する。
【００４２】
また別の手段として、分送管路１０を格子蓋５内部に設けず、分配槽８の側面三箇所に所定径の分送管路１０の一端を接続し、他の一端を環状分配管１１の下面より接続して、両者を連通する配管組立て方法を用いることもできる。
【００４３】
噴水１４が王冠状に、中央の花器を兼ねた噴水受け器１５に向け落下するように、環状分配管１１上に約８度内傾させた１ｍｍψの噴出口１２を、サークル状に３６穴均等に設ける。
【００４４】
噴水１４の噴出高は、前記外ねじ付パイプ９のねじ孔８ａへの捻込み代により、外ねじ付パイプ９の下端とポンプ吐出口３ａとの間隙の広さを調整して、水中ポンプ３よりの吐水量を変えることにより、必要な高さに調節することが出来る。
【００４５】
また１ｍｍψの噴出口１２が夾雑物により目詰まりする場合に備え、環状の分配管１１上面に、３箇所の捻子閉めした排出口１３を設ける。そして噴出口１２が夾雑物により目詰まりした時には、最寄りの排出口１３の捻子を外して、環状分配管１１中の圧力水を放出させ、同時に目詰まりした噴出口１２に小ブラシを差し込んで夾雑物を圧力水と共に排出口１３より外部に流出させる仕組みとする。
【００４６】
分配槽８より上方に立設した所定長の外ねじ付パイプ９に、１０ｍｍ強の底孔１５ａをあけた、花器を兼ねた噴水受け器１５を差し込み据え付ける。外ねじ付パイプ９は、花器を兼ねた噴水受け器１５を支持する機能を有すると共に、水中ポンプ３よりの送水を噴水受け器１５内に給水し、噴水受け器１５上部で盛上り噴水７ａとして演出させる機能も有している。
【００４７】
花器を兼ねた噴水受け器１５より流下する、カスケード７ｂから生ずる飛沫を抑止する必要のある場合には、第１図に記載の形状に変えて、カスケード７ｂが花器を兼ねた噴水受け器１５の側面を伝わって流下すような形状、例えば円筒形や円錐台形や徳利の形状をした、花器を兼ねた噴水受け器１５を用いることも出来る。
【００４８】
花器を兼ねた噴水受け器１５は、噴水１４により溶存酸素を多く含んだ貯水７を用いるため、活けた花１６をながもちさせることが出来、該装置の装飾性と癒し効果を高める機能を有している。
【００４９】
また、花器を兼ねた噴水受け器１５の代わりに、彫刻像や、照明を組み込んだ装飾体や、宣伝用の展示物を装着して、該装置の使用用途を広げることが出来る。
【００５０】
格子蓋５は多機能であり、落下する水の衝撃を適度に緩和しつつ、小川の流れに似たせせらぎ音を造りだす機能と、貯水７より飛散する飛沫を防ぐ機能と、貯水７の量や汚れ具合を目視できる機能と、噴水容器１中の水中ポンプ３や噴水部品などの機械部を、観者の視線より遮蔽して、装飾装置としての装飾性を高める機能と、分配槽８と環状分配管１１とを一体的に組み付け、両者８、１１間を分送管路１０により連通する機能と、組み合わせた分配槽８の中心上面に立設した外ねじ付パイプ９により、噴水１４の高さを調整する機能と、花器を兼ねた噴水受け器１５を支持し、その噴水受け器１５内に、盛上り噴水７ａを演出させる機能を兼備している。
【００５１】
水中ポンプ３のケーブル１８は、噴水容器１の所定位置に所定径の丸孔を穿孔し、防水グランド１７を取り付けてケーブル１８を外部に引出し、先端に電源差し込み用の防水ゴムキャップを取り付ける。
【００５２】
該装置の運転時における水の動きを述べると、噴水容器１内の貯水７を水中ポンプ３により、ストレーナー３ｃを介して吸引し、吐出口３ａを経て分配槽８に圧送する。
【００５３】
分配槽８に圧送された水は、分配槽８内で二系統に分流し、一系統は３本の分送管路１０を通って環状分配管１１に流入し、噴出口１２より王冠型の噴水１４を造形し、花器を兼ねた噴水受け器１５に向け落下する。
【００５４】
さらに他の一系統は、外ねじ付パイプ９内を通って、花器を兼ねた噴水受け器１５内に噴出し、その溢流面に盛り上り噴水７ａを演出したのち、花器を兼ねた噴水受け器１５の外周部よりカスケード７ｂとなって噴水容器１内に流下する。
【００５５】
噴水容器１より外部に飛散する飛沫が多い場合には、外ねじ付パイプ９をねじ込んで噴水１４の高さを調整することにより、外部に飛散する飛沫を抑止することが出来る。
【００５６】
【発明の効果】
住環境に於て、一台の該装置で、噴水と活け花による装飾効果と、流下水による音響効果と加湿効果と、空気清浄効果を奏することが出来る。
【００５７】
分配槽８に、外ねじ付パイプ９と水中ポンプ３の吐出口３ａを対向して設けたことにより、噴水１４の高さの調整と、盛り上がり噴水７ａの造形と、花器を兼ねた噴水受け器１５の支持が可能となる。
【００５８】
該装置の噴水容器１に、一品製作の宙吹きガラス製品、又はろくろ成型による陶磁器製品を採用したことにより、型を起こしての大量生産による在庫負担のリスクを避けることが可能となり、市場に多品種少量生産による芸術性豊かな、且つオリジナリティに富んだ該装置を提供することが出来る。また製作期間が短縮できることにより、受注生産が可能となり、噴水容器の形状、柄、色などに客の好みを組み込んだ該装置の製作提供が可能となる。
【００５９】
中央部に分配槽８を組み合わせ、外周部に噴出口１２を有する環状分配管１１を組み合わせ、その間を分送管路１０で連通した格子蓋５は、噴水容器１上部開口部１ａの所定位置に装着することにより、王冠状の噴水１４を造形する機能と、落下する水の衝撃を適度に緩和して小川の流れに似たせせらぎ音を造りだす機能と、貯水７の水面より飛散する飛沫を防ぐ機能と、貯水７の量や汚れ具合を目視できる機能と、噴水容器１中の水中ポンプ３や関連部品を遮蔽することにより、装飾装置としての装飾性を高める機能と、その中心上面に立設した外ねじ付パイプ９により噴水１４の高を調整する機能と、花器を兼ねた噴水受け器１５を支持し、その噴水受け器１５内に、盛上り噴水７ａを演出させる機能を兼備することが出来る。
【００６０】
【図面の簡単な説明】
【図１】本発明の可搬式卓上型の小型住環境快適化装置の側面断面図（ポンプは側面図）
【図２】本発明の分配槽、分送管路、環状分配管を組み合わせた格子蓋の平面図
【図３】本発明の噴水装置の正面図（縮尺１／３）
【図４】本発明の噴水装置の側面図（縮尺１／３）
【図５】本発明の噴水装置の平面図（縮尺１／３）
【図６】本発明の噴水装置の下面図（縮尺１／３）
【００６１】
【符号の説明】
１　　噴水容器
１ａ　噴水容器の上部開口部
１ｂ　外底面（噴水容器の）
１ｃ　中底面（噴水容器の）
２　　基盤
３　　水中ポンプ
３ａ　吐出口
３ｂ　吸込口
３ｃ　吸込ストレーナー
３ｄ　スポンジフイルター
４　　支持ボルト
４ａ　ナット
５　　格子蓋
６　　バンド
７　　貯水
７ａ　盛り上がり噴水
７ｂ　カスケード
８　　分配槽
８ａ　ねじ孔
８ｂ　丸孔
９　　外ねじ付パイプ
１０　　分送管路
１１　　環状分配管
１２　　噴出口
１３　　排出口
１４　　噴水
１５　　花器を兼ねた噴水受け器
１５ａ　底孔（花器を兼ねた噴水受け器の）
１６　　活け花
１７　　防水グランド
１８　　ケーブル
【図１】
2004017038.tif 000003
【図２】
2004017038.tif 000004
【図３】
2004017038.tif 000005
【図４】
2004017038.tif 000006
【図５】
2004017038.tif 000007
【図６】
2004017038.tif 000008